(57)【要約】１つまたは複数のＭ２Ｍ（Machine to Machine）デバイスへのダウンリンク（ＤＬ）データをページングするための方法および装置。ページングは、ネットワーク再参入を伴って、または遅延されたネットワーク再参入を伴って実施されることができる。さらに、ページングは、個別デバイスページング、または、デバイスのグループに対するページングとすることができる。
2014510450.tif 000002
【特許請求の範囲】
【請求項１】
アイドルモードにある１つまたは複数のＭ２Ｍ（Machine to Machine）デバイスに対してワイヤレス通信ネットワークで使用される方法であって、
ネットワーク再参入を伴うページング、または遅延されたネットワーク参入を伴うページング、またはネットワーク再参入を伴わないページングを示すフィールドを含むページングメッセージを受信するステップを備えることを特徴とする方法。
【請求項２】
前記１つまたは複数のＭ２Ｍデバイスはグループを構成し、前記ページングはグループページであることを特徴とする請求項１に記載の方法。
【請求項３】
ページングは、ページングされた１つまたは複数のＭ２ＭデバイスがＤＬデータの受信のためにネットワーク参入を実施するのを必要としないことを特徴とする請求項１に記載の方法。
【請求項４】
ページングは、受信すべきＤＬデータがあることを前記１つまたは複数のＭ２Ｍデバイスに知らせることを特徴とする請求項１に記載の方法。
【請求項５】
ネットワーク参入／再参入を実施せずにＤＬデータを受信するステップをさらに備え、前記ＤＬデータの受信に対して即座に肯定応答する必要はないことを特徴とする請求項１に記載の方法。
【請求項６】
ＵＬデータ送信のために、または所定のネットワーク再参入トリガによって、後の時点でネットワーク再参入を実施するステップをさらに備えることを特徴とする請求項１に記載の方法。
【請求項７】
ページングはグループページであることを特徴とする請求項１に記載の方法。
【請求項８】
遅延されたネットワーク再参入を実施した後で、前のページングリッスン期間におけるＤＬデータの受信に対して肯定応答するステップをさらに含むことを特徴とする請求項１に記載の方法。
【請求項９】
前記ページングは個別ページングモードページであることを特徴とする請求項１に記載の方法。
【請求項１０】
前記ページングはグループページングモードページであることを特徴とする請求項１に記載の方法。
【請求項１１】
ネットワーク再参入は、所定のネットワーク再参入トリガによって実施されることを特徴とする請求項１に記載の方法。
【請求項１２】
ＤＬデータの受信を示す肯定応答を送信するステップをさらに備えることを特徴とする請求項１に記載の方法。
【請求項１３】
ＤＬデータは媒体アクセス制御（ＭＡＣ）レイヤにおける特定の識別子と共に送信されることを特徴とする請求項１に記載の方法。
【請求項１４】
ＤＬマルチキャストデータが特定のマルチキャスト識別子を使用することを特徴とする請求項１３に記載の方法。
【請求項１５】
ワイヤレス通信ネットワークで使用される方法であって、前記方法は、
１つまたは複数のＭ２Ｍ（Machine to Machine）デバイスへのダウンリンク（ＤＬ）データのためのページを受信するステップであって、前記ページは、受信すべきＤＬデータがあることを示すが、前記１つまたは複数のＭ２Ｍデバイスがネットワーク参入を実施するのを必要とはしない、ステップと、
ネットワーク再参入を実施せずにＤＬデータを受信するステップであって、前記ＤＬデータの前記受信に対して即座に肯定応答する必要はない、ステップと、
ＵＬデータ送信のために、または他の所定のネットワーク再参入トリガによって、後の時点でネットワーク再参入を実施するステップと、
前記ネットワークに再参入した後で前のページングリッスン期間のＤＬデータの前記受信に対して肯定応答するステップと
を備えることを特徴とする方法。
【発明の詳細な説明】
【技術分野】
【０００１】
本出願は、ワイヤレス通信に関する。
【背景技術】
【０００２】
ダウンリンク（ＤＬ）のみのＭ２Ｍ（Machine to Machine）送信では、アイドルモードのＭ２ＭデバイスがアクティブになってＤＬバーストを受信すべきであることを、基地局が示す必要がある場合がある。Ｍ２Ｍデバイスは、ＤＬバーストに対して肯定応答する必要はない場合がある。Ｍ２Ｍデバイスがフィードバックを提供できる機構を設けることが必要とされている。Ｍ２Ｍデバイスは、選択時にフィードバックを提供することができる。例えば、Ｍ２Ｍは、送信すべきアップリンク（ＵＬ）データを有し、およびネットワーク再参入（re-entry）を実施する必要があるときに、フィードバックを提供することができる。
【発明の概要】
【０００３】
１つまたは複数のＭ２Ｍ（Machine to Machine）デバイスへのダウンリンク（ＤＬ）データのためのページングを実施するための方法および装置。ページングは、ネットワーク再参入を伴って、または遅延されたネットワーク再参入を伴って実施することができる。さらに、ページングは、個別デバイスページング、または、デバイスのグループに対するページングとすることができる。
【図面の簡単な説明】
【０００４】
添付図面と共に例として提供する後続の記述から、詳細な理解を得ることができる。
【０００５】
【図１Ａ】１つまたは複数の開示する実施形態が実行されうる例示的な通信システムのシステム図である。
【図１Ｂ】図１Ａに示す通信システム内で使用できる例示的なワイヤレス送受信ユニット（ＷＴＲＵ）のシステム図である。
【図１Ｃ】図１Ａに示す通信システム内で使用できる例示的な無線アクセスネットワークおよび例示的なコアネットワークのシステム図である。
【発明を実施するための形態】
【０００６】
序論
図１Ａは、１つまたは複数の開示する実施形態が実行されうる例示的な通信システム１００の図である。通信システム１００は、音声、データ、ビデオ、メッセージング、ブロードキャストなどのコンテンツを複数のワイヤレスユーザに提供する多元接続システムとすることができる。通信システム１００は、複数のワイヤレスユーザが、ワイヤレス帯域幅を含めたシステムリソースの共有を通してこのようなコンテンツにアクセスするのを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を採用することができる。
【０００７】
図１Ａに示すように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示する実施形態が任意の数のＷＴＲＵ、基地局、ネットワーク、および／またはネットワーク要素を企図することは理解されるであろう。各ＷＴＲＵ１０２ａ、１０２ｂ、１０２ｃ、１０２ｄは、ワイヤレス環境で動作および／または通信するように構成された任意のタイプのデバイスとすることができる。例えば、ＷＴＲＵ１０２ａ、１０２ｂ、１０２ｃ、１０２ｄは、無線信号を送信および／または受信するように構成されてよく、ユーザ機器（ＵＥ）、移動局、固定またはモバイルの加入者ユニット、ページャ、セルラー電話機、ＰＤＡ、スマートフォン、ラップトップ、ネットブック、パーソナルコンピュータ、ワイヤレスセンサ、消費者電子機器などを含み得る。
【０００８】
通信システム１００はまた、基地局１１４ａおよび基地局１１４ｂを含みうる。各基地局１１４ａ、１１４ｂは、ＷＴＲＵ１０２ａ、１０２ｂ、１０２ｃ、１０２ｄのうちの少なくとも１つとワイヤレスに結合して、コアネットワーク１０６、インターネット１１０、および／またはネットワーク１１２など、１つまたは複数の通信ネットワークへのアクセスを容易にするように構成された、任意のタイプのデバイスとすることができる。例えば、基地局１１４ａ、１１４ｂは、基地局（ＢＴＳ）、ノードＢ、ｅノードＢ、ホームノードＢ、ホームｅノードＢ、サイトコントローラ、アクセスポイント（ＡＰ）、無線ルータなどとすることができる。基地局１１４ａ、１１４ｂはそれぞれ単一の要素として描かれているが、基地局１１４ａ、１１４ｂが、任意の数の相互接続された基地局および／またはネットワーク要素を含んでよいことは理解されるであろう。
【０００９】
基地局１１４ａはＲＡＮ１０４の一部とすることができ、ＲＡＮ１０４はまた、他の基地局、および／または、基地局コントローラ（ＢＳＣ）や無線ネットワークコントローラ（ＲＮＣ）や中継ノードなどのネットワーク要素（図示せず）を含んでもよい。基地局１１４ａおよび／または基地局１１４ｂは、特定の地理領域内で無線信号を送信および／または受信するように構成されてよく、この地理領域はセル（図示せず）と呼ばれることもある。セルはさらに、セルセクタに分割されうる。例えば、基地局１１４ａに関連するセルを３つのセクタに分割することができる。従って、一実施形態では、基地局１１４ａは、３つの送受信機、すなわちセルの各セクタにつき１つの送受信機を備えることができる。別の実施形態では、基地局１１４ａは、多入力多出力（ＭＩＭＯ）技術を採用することができ、従って、セルの各セクタにつき複数の送受信機を利用することができる。
【００１０】
基地局１１４ａ、１１４ｂは、エアインタフェース１１６を介してＷＴＲＵ１０２ａ、１０２ｂ、１０２ｃ、１０２ｄのうちの１つまたは複数と通信することができ、エアインタフェース１１６は、任意の適切な無線通信リンク（例えば、無線周波数（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立されることができる。
【００１１】
より具体的には、上述したように、通信システム１００は、多元接続システムとすることができ、ＣＤＭＡ、ＴＤＭＡ、ＦＤＭＡ、ＯＦＤＭＡ、ＳＣ−ＦＤＭＡなど、１つまたは複数のチャネルアクセス方式を採用することができる。例えば、ＲＡＮ１０４中の基地局１１４ａ、およびＷＴＲＵ１０２ａ、１０２ｂ、１０２ｃは、ＵＴＲＡ（Universal Mobile Telecommunications System(UMTS)Terrestrial Radio Access）などの無線技術を実行することができ、これにより、広帯域ＣＤＭＡ（Ｗ−ＣＤＭＡ）を使用してエアインタフェース１１６を確立することができる。Ｗ−ＣＤＭＡは、ＨＳＰＡ（High-Speed Packet Access）および／またはＨＳＰＡ＋（Evolved HSPA）などの通信プロトコルを含み得る。ＨＳＰＡは、ＨＳＤＰＡ（High-Speed Downlink Packet Access）および／またはＨＳＵＰＡ（High-Speed Uplink Packet Access）を含み得る。
【００１２】
別の実施形態では、基地局１１４ａおよびＷＴＲＵ１０２ａ、１０２ｂ、１０２ｃは、Ｅ−ＵＴＲＡ（Evolved UMTS Terrestrial Radio Access）等の無線技術を実行することができ、これにより、ＬＴＥ（Long Term Evolution）および／またはＬＴＥ−Ａｄｖａｎｃｅｄ（ＬＴＥ−Ａ）を使用してエアインタフェース１１６を確立することができる。
【００１３】
他の実施形態では、基地局１１４ａおよびＷＴＲＵ１０２ａ、１０２ｂ、１０２ｃは、ＩＥＥＥ８０２．１６（すなわちＷｉＭＡＸ）、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＳＭ  ＥＤＧＥ（ＧＥＲＡＮ）などの無線技術を実行することができる。
【００１４】
図１Ａ中の基地局１１４ｂは、例えば、無線ルータ、ホームノードＢ、ホームｅノードＢ、またはアクセスポイントとすることができ、事業所、家庭、車両、キャンパスなどの局所化されたエリア中での無線接続性を容易にするために任意の適切なＲＡＴを利用することができる。一実施形態では、基地局１１４ｂおよびＷＴＲＵ１０２ｃ、１０２ｄは、ＩＥＥＥ８０２．１１などの無線技術を実行して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実行して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えばＷ−ＣＤＭＡ、ＣＤＭＡ２０００、ＧＳＭ（登録商標）、ＬＴＥ、ＬＴＥ−Ａなど）を利用して、ピコセルまたはフェムトセルを確立することができる。図１Ａに示すように、基地局１１４ｂは、インターネット１１０への直接接続を有しうる。従って、基地局１１４ｂは、コアネットワーク１０６を介してインターネット１１０にアクセスすることは必要とされなくてよい。
【００１５】
ＲＡＮ１０４は、コアネットワーク１０６と通信してよく、コアネットワーク１０６は、音声、データ、アプリケーション、および／またはＶｏＩＰ（Voice over IP）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６は、呼制御、課金サービス、モバイル位置情報サービス、プリペイド電話、インターネット接続性、ビデオ配信などを提供することができ、かつ／または、ユーザ認証など、高レベルのセキュリティ機能を実施することができる。図１Ａには示されていないが、ＲＡＮ１０４および／またはコアネットワーク１０６が、ＲＡＮ１０４と同じＲＡＴまたは異なるＲＡＴを採用する他のＲＡＮと、直接にまたは間接的に通信してもよいことは理解されるであろう。例えば、コアネットワーク１０６は、Ｅ−ＵＴＲＡ無線技術を利用しうるＲＡＮ１０４に接続されるのに加えて、ＧＳＭ（登録商標）無線技術を採用する別のＲＡＮ（図示せず）と通信してもよい。
【００１６】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして機能することができる。ＰＳＴＮ１０８は、ＰＯＴＳ（plain old telephone service）を提供する回線交換電話網を含み得る。インターネット１１０は、ＴＣＰ／ＩＰインターネットプロトコルスイート中の、ＴＣＰ、ＵＤＰおよびＩＰなど、共通の通信プロトコルを使用する相互接続されたコンピュータネットワークおよびデバイスの地球規模のシステムを含み得る。ネットワーク１１２は、他のサービスプロバイダによって所有および／または運営される、有線または無線通信ネットワークを含み得る。例えば、ネットワーク１１２は、ＲＡＮ１０４と同じＲＡＴまたは異なるＲＡＴを使用しうる１つまたは複数のＲＡＮに接続された別のコアネットワークを含み得る。
【００１７】
通信システム１００中のＷＴＲＵ１０２ａ、１０２ｂ、１０２ｃ、１０２ｄのいくつかまたは全ては、マルチモード能力を備えることができる。すなわち、ＷＴＲＵ１０２ａ、１０２ｂ、１０２ｃ、１０２ｄは、種々の無線リンクを介して種々のワイヤレスネットワークと通信するために、複数の送受信機を備えることができる。例えば、図１Ａに示すＷＴＲＵ１０２ｃは、セルラーベースの無線技術を使用しうる基地局１１４ａと、また、ＩＥＥＥ８０２無線技術を使用しうる基地局１１４ｂと、通信するように構成されてよい。
【００１８】
図１Ｂは、例示的なＷＴＲＵ１０２のシステム図である。図１Ｂに示すように、ＷＴＲＵ１０２は、プロセッサ１１８、送受信機１２０、送受信要素１２２、スピーカ／マイクロホン１２４、キーパッド１２６、表示装置／タッチパッド１２８、非リムーバブルメモリ１３０、リムーバブルメモリ１３２、電源１３４、ＧＰＳチップセット１３６および他の周辺装置１３８を備えてよい。ＷＴＲＵ１０２が、一実施形態との整合性を維持しながら前述の要素の任意のサブコンビネーションを備えてよいことは理解されるであろう。
【００１９】
プロセッサ１１８は、汎用プロセッサ、専用プロセッサ、従来型プロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、ＡＳＩＣ、ＦＰＧＡ回路、他の任意のタイプの集積回路（ＩＣ）、状態機械などとすることができる。プロセッサ１１８は、信号符号化、データ処理、電力制御、入出力処理、および／または、ＷＴＲＵ１０２がワイヤレス環境で動作できるようにする他の任意の機能を実施することができる。プロセッサ１１８は送受信機１２０に結合されてよく、送受信機１２０は送受信要素１２２に結合されてよい。図１Ｂではプロセッサ１１８と送受信機１２０とを別々のコンポーネントとして描いているが、プロセッサ１１８と送受信機１２０とを共に電子パッケージまたはチップ中で統合してもよいことは理解されるであろう。
【００２０】
送受信要素１２２は、エアインタフェース１１６を介して基地局（例えば基地局１１４ａ）との間で信号を送信または受信するように構成されてよい。例えば、一実施形態では、送受信要素１２２は、ＲＦ信号を送信および／または受信するように構成されたアンテナとすることができる。別の実施形態では、送受信要素１２２は、例えばＩＲ、ＵＶまたは可視光信号を送信および／または受信するように構成された、エミッタ／検出器とすることができる。さらに別の実施形態では、送受信要素１２２は、ＲＦ信号と光信号の両方を送受信するように構成されてよい。送受信要素１２２が任意の組合せの無線信号を送信および／または受信するように構成されてよいことは理解されるであろう。
【００２１】
また、図１Ｂでは送受信要素１２２が単一の要素として描かれているが、ＷＴＲＵ１０２は、任意の数の送受信要素１２２を備えてよい。より具体的には、ＷＴＲＵ１０２は、ＭＩＭＯ技術を採用することができる。従って、一実施形態では、ＷＴＲＵ１０２は、エアインタフェース１１６を介して無線信号を送受信するために、２つ以上の送受信要素１２２（例えば複数のアンテナ）を備えることができる。
【００２２】
送受信機１２０は、送受信要素１２２によって送信されることになる信号を変調し、送受信要素１２２によって受信された信号を復調するように構成されてよい。上述したように、ＷＴＲＵ１０２は、マルチモード能力を有することができる。従って、送受信機１２０は、ＷＴＲＵ１０２が複数のＲＡＴ（例えばＵＴＲＡおよびＩＥＥＥ８０２．１１など）を介して通信できるようにするために、複数の送受信機を備えることができる。
【００２３】
ＷＴＲＵ１０２のプロセッサ１１８は、スピーカ／マイクロホン１２４、キーパッド１２６、および／または、表示装置／タッチパッド１２８（例えば液晶表示装置（ＬＣＤ）表示ユニットもしくは有機発光ダイオード（ＯＬＥＤ）表示ユニット）に結合されてよく、これらからユーザ入力データを受け取ることができる。プロセッサ１１８はまた、スピーカ／マイクロホン１２４、キーパッド１２６、および／または、表示装置／タッチパッド１２８にユーザデータを出力することができる。また、プロセッサ１１８は、非リムーバブルメモリ１３０および／またはリムーバブルメモリ１３２など、任意のタイプの適切なメモリの情報にアクセスすること、およびそのようなメモリにデータを記憶することができる。非リムーバブルメモリ１３０は、ＲＡＭ、ＲＯＭ、ハードディスク、または他の任意のタイプのメモリ記憶デバイスを含み得る。リムーバブルメモリ１３２は、ＳＩＭ（subscriber identity module）カード、メモリスティック、ＳＤ（secure digital）メモリカードなどを含み得る。他の実施形態では、プロセッサ１１８は、サーバやホームコンピュータ（図示せず）上のメモリなど、ＷＴＲＵ１０２上に物理的に位置しないメモリの情報にアクセスすること、およびそのようなメモリにデータを記憶することができる。
【００２４】
プロセッサ１１８は、電源１３４から電力を受け取ることができ、ＷＴＲＵ１０２中の他のコンポーネントへの電力を分配および／または制御するように構成されてよい。電源１３４は、ＷＴＲＵ１０２に電力を供給するための任意の適切なデバイスとすることができる。例えば、電源１３４は、１つまたは複数の乾電池バッテリ（例えばニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）等）、太陽電池、燃料電池などを含み得る。
【００２５】
プロセッサ１１８は、ＧＰＳチップセット１３６にも結合されてよく、ＧＰＳチップセット１３６は、ＷＴＲＵ１０２の現在位置に関する位置情報（例えば、経度と緯度）を提供するように構成されてよい。ＧＰＳチップセット１３６からの情報に加えて、またはそれに代えて、ＷＴＲＵ１０２は、基地局（例えば、基地局１１４ａ、１１４ｂ）からエアインタフェース１１６を介して位置情報を受け取ることができ、かつ／または、２つ以上の近隣基地局から受け取られている信号のタイミングに基づいて位置情報の位置を決定することができる。ＷＴＲＵ１０２が、一実施形態との整合性を維持しながら任意の適切な位置決定方法を用いて位置情報を取得してよいことは、理解されるであろう。
【００２６】
プロセッサ１１８はさらに、他の周辺装置１３８にも結合されてよく、周辺装置１３８は、追加の機構、機能、および／または有線もしくは無線接続性をもたらす、１つまたは複数のソフトウェアおよび／またはハードウェアモジュールを含み得る。例えば、周辺装置１３８は、加速度計、電子コンパス、衛星送受信機、デジタルカメラ（写真またはビデオ用）、ＵＳＢポート、振動デバイス、テレビジョン送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含み得る。
【００２７】
図１Ｃは、一実施形態によるＲＡＮ１０４およびコアネットワーク１０６のシステム図である。ＲＡＮ１０４は、ＩＥＥＥ８０２．１６無線技術を使用してインタフェース１１６を介してＷＴＲＵ１０２ａ、１０２ｂ、１０２ｃと通信するアクセスサービスネットワーク（ＡＳＮ）とすることができる。後述するように、ＷＴＲＵ１０２ａ、１０２ｂ、１０２ｃ、ＲＡＮ１０４、およびコアネットワーク１０６の種々の機能エンティティ間の通信リンクを、参照点として定義することができる。
【００２８】
図１Ｃに示すように、ＲＡＮ１０４は、基地局１４０ａ、１４０ｂ、１４０ｃ、およびＡＳＮゲートウェイ１４２を含んでよいが、ＲＡＮ１０４が一実施形態との整合性を維持しながら任意の数の基地局およびＡＳＮゲートウェイを含んでよいことは理解されるであろう。基地局１４０ａ、１４０ｂ、１４０ｃはそれぞれ、ＲＡＮ１０４中の特定のセル（図示せず）に関連してよく、エアインタフェース１１６を介してＷＴＲＵ１０２ａ、１０２ｂ、１０２ｃと通信するために、１つまたは複数の送受信機をそれぞれ備えることができる。一実施形態では、基地局１４０ａ、１４０ｂ、１４０ｃは、ＭＩＭＯ技術を実装することができる。従って、例えば基地局１４０ａは、複数のアンテナを使用して、ＷＴＲＵ１０２ａとの間で無線信号を送受信することができる。基地局１４０ａ、１４０ｂ、１４０ｃはまた、ハンドオフのトリガ、トンネル確立、無線リソース管理、トラフィック分類、サービス品質（ＱｏＳ）ポリシ実行など、モビリティ管理機能を提供することもできる。ＡＳＮゲートウェイ１４２は、トラフィックアグリゲーションポイントとして機能することができ、ページング、加入者プロファイルのキャッシング、コアネットワーク１０６へのルーティングなどを担うことができる。
【００２９】
ＷＴＲＵ１０２ａ、１０２ｂ、１０２ｃとＲＡＮ１０４との間のエアインタフェース１１６は、ＩＥＥＥ８０２．１６仕様を実装するＲ１参照点として定義することができる。また、各ＷＴＲＵ１０２ａ、１０２ｂ、１０２ｃは、コアネットワーク１０６との論理インタフェース（図示せず）を確立することができる。ＷＴＲＵ１０２ａ、１０２ｂ、１０２ｃとコアネットワーク１０６との間の論理インタフェースは、Ｒ２参照点として定義することができ、Ｒ２参照点は、認証、許可、ＩＰホスト構成管理、および／またはモビリティ管理に使用することができる。
【００３０】
各基地局１４０ａ、１４０ｂ、１４０ｃ間の通信リンクは、Ｒ８参照点として定義することができ、Ｒ８参照点は、ＷＴＲＵハンドオーバおよび基地局間のデータ転送を容易にするためのプロトコルを含む。基地局１４０ａ、１４０ｂ、１４０ｃとＡＳＮゲートウェイ２１５との間の通信リンクは、Ｒ６参照点として定義することができる。Ｒ６参照点は、各ＷＴＲＵ１０２ａ、１０２ｂ、１００ｃに関連するモビリティイベントに基づくモビリティ管理を容易にするためのプロトコルを含むことができる。
【００３１】
図１Ｃに示すように、ＲＡＮ１０４は、コアネットワーク１０６に接続されてよい。ＲＡＮ１０４とコアネットワーク１０６との間の通信リンクは、Ｒ３参照点として定義することができ、Ｒ３参照点は、例えばデータ転送およびモビリティ管理能力を容易にするためのプロトコルを含む。コアネットワーク１０６は、モバイルＩＰホームエージェント（ＭＩＰ−ＨＡ）１４４、認証許可アカウンティング（ＡＡＡ）サーバ１４６、およびゲートウェイ１４８を含んでよい。前述の各要素はコアネットワーク１０６の一部として描かれているが、これらの要素のいずれか１つがコアネットワークオペレータ以外のエンティティによって所有および／または運営されてもよいことは理解されるであろう。
【００３２】
ＭＩＰ−ＨＡは、ＩＰアドレス管理を担うことができ、ＷＴＲＵ１０２ａ、１０２ｂ、１０２ｃが種々のＡＳＮおよび／または種々のコアネットワーク間でローミングするのを可能にすることができる。ＭＩＰ−ＨＡ１４４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＡＡＡサーバ１４６は、ユーザ認証とユーザサービスのサポートとを担うことができる。ゲートウェイ１４８は、他のネットワークとのインターワーキングを容易にすることができる。例えば、ゲートウェイ１４８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。また、ゲートウェイ１４８は、他のサービスプロバイダによって所有および／または運営される他の有線またはワイヤレスネットワークを含み得るネットワーク１１２へのアクセスを、ＷＴＲＵ１０２ａ、１０２ｂ、１０２ｃに提供することができる。
【００３３】
図１Ｃには示されていないが、ＲＡＮ１０４が他のＡＳＮに接続されてもよく、コアネットワーク１０６が他のコアネットワークに接続されてもよいことは、理解されるであろう。ＲＡＮ１０４と他のＡＳＮとの間の通信リンクは、Ｒ４参照点として定義することができ、Ｒ４参照点は、ＲＡＮ１０４と他のＡＳＮとの間におけるＷＴＲＵ１０２ａ、１０２ｂ、１０２ｃのモビリティを調整するためのプロトコルを含むことができる。コアネットワーク１０６と他のコアネットワークとの間の通信リンクは、Ｒ５参照点として定義することができ、Ｒ５参照点は、ホームコアネットワークと訪問先コアネットワークとの間のインターワーキングを容易にするためのプロトコルを含むことができる。
【００３４】
説明
８０２．１６ｍでは、１つのメッセージフォーマット（例えば、Ｔａｂｌｅ７００−ＡＡＩ−ＰＡＧ−ＡＤＶメッセージフォーマット）が、ページング広告のためのアクションコード（１ビット）を含む。このアクションコードは、ネットワーク参入（entry）を実施する必要性、または位置更新のためにレンジング（ranging：測距）を実施する必要性を示す。
【００３５】
Ｍ２Ｍでは、フィールド（例えば、「ページングリアクション」フィールド）を、「ネットワーク再参入を伴うページング」フィールド、または「ネットワーク再参入を伴わないページング」フィールドとして使用することができる。
【００３６】
さらに、Ｍ２Ｍでは、Ｍ２Ｍデバイスをダウンリンク（ＤＬ）データでページングするために、グループページングモードを定義することができる。というのは、ページングは、Ｍ２Ｍデバイスがネットワーク参入を実施することを必要としないからである。
【００３７】
Ｍ２Ｍデバイスは、受信すべきＤＬデータがあること、およびＭ２Ｍデバイスが肯定応答（または応答）を送信することなくこのＤＬデータを受信できることを示す、ページング信号を受信することができる。このシグナリングプロシージャを使用する結果、ネットワークに対する負荷（ネットワーク参入を実施するデバイスがより少ない）を低減することができ、バッテリ寿命を節約する（不要なネットワーク参入送信を回避する）ことができる。
【００３８】
あるいは、ページング信号は、Ｍ２Ｍデバイスがページに応答してネットワーク参入（または再参入）を実施することのインジケーションを含むことができる。さらに、Ｍ２Ｍデバイスは、ページに対して肯定応答（または応答）を送信することが必要とされてもよい。例えば、グループページは、ＵＬデータを要求するＭ２Ｍデバイスのグループに送信されることができ、このページは、Ｍ２ＭデバイスがＵＬデータを送信できるようになる前にネットワーク参入（または再参入）を必要とすることができる。
【００３９】
さらに、システム性能全体を向上させるために、遅延されたネットワーク参入（または再参入）を伴うページングを許可する追加のオプションおよび代替手段を使用することもできる。
【００４０】
Ｍ２Ｍでは、個別ページングモードを定義することができ、このモードでは、Ｍ２Ｍデバイスは、即座にネットワーク参入（または再参入）を実施することは必要とされない。より具体的には、Ｍ２Ｍデバイスは、肯定応答（または応答）を送信することなくＤＬバーストを受信することができる。個別ページングモードはまた、遅延されたネットワーク再参入をＭ２Ｍデバイスが実施するように、定義されることもできる。
【００４１】
グループページングモードを定義することもでき、このモードでは、Ｍ２Ｍデバイスは、ページング信号に応答して、遅延されたネットワーク再参入を実施する（例えば、グループページは、即座でない応答を必要とする）。遅延されたネットワーク再参入は、アイドルモードのＭ２Ｍデバイスから必要な、ＤＬ信号に対する肯定応答（または応答）が、遅延を許容することができる場合に、使用されることができる。
【００４２】
遅延されたネットワーク再参入の方式を伴うページングが使用されるとき、ネットワーク再参入プロシージャは、保留（pending）ＵＬデータ送信によって、および／または、所定のネットワーク再参入トリガ（例えば、ネットワーク再参入を伴わない最大ページ数、遅延された応答の最大時間間隔、もしくは、ＤＬデータ受信と最大許容応答遅延との間のランダムに選択された待機時間）によって、トリガされてよい。ページングに対するどんな応答も、ネットワークへの再参入後にＭ２Ｍデバイスから送信される。
【００４３】
遅延されたネットワーク再参入の使用は、いくつかのＭ２Ｍデバイスがページングメッセージ受信時にネットワークに同時に再参入する必要があるときに、ネットワーク輻輳およびランダムアクセス衝突を低減することができる。
【００４４】
−  遅延されたネットワーク再参入を伴う、ページングされた加入者へのＤＬ送信
【００４５】
遅延されたネットワーク再参入の方式を伴うページングが使用されるときは、保留ＤＬ送信を、遅延された時点で（例えばＭ２Ｍデバイスがネットワーク再参入を実施した後まで待機して）送信することができる。基地局は、保留ＤＬ送信をバッファリングすることができる。保留ＤＬ送信におけるデータのどんなアプリケーションも、遅延されたネットワーク再参入を伴うページングによって引き起こされる遅延を許容できなければならない。この結果、ランダムアクセス衝突の確率は時間にわたって拡散することになるので、ランダムアクセス衝突の確率を低下させることができる。
【００４６】
または、遅延されたネットワーク再参入の方式を伴うページングが使用されるときは、保留ＤＬ送信を、通常のページング方式に対して指定されたときと同時に（すなわち、ページングされたＭ２Ｍデバイスがネットワーク再参入を実施するまで待機することなく）送信することができる。ここで、保留ＤＬデータを送信できるように、ＭＡＣレイヤにおける特定の識別子（ＩＤ）（例えば、接続ＩＤ、局ＩＤ、フローＩＤなど）が必要とされる。
【００４７】
保留ＤＬマルチキャストデータの場合は、Ｍ２Ｍデバイスのグループ中のいくつかのＭ２Ｍデバイスがアイドルモードであっても、マルチキャストＩＤ（例えば、マルチキャスト接続ＩＤ、マルチキャスト局ＩＤ、グループＩＤなど）が有効であってよい。この結果、アイドルモードのＭ２ＭデバイスがＤＬマルチキャストデータについてページングされたとき、マルチキャストＩＤは、有効であり、かつ即座のネットワーク再参入を実施する必要なしに、ページングされたＭ２Ｍデバイスに保留ＤＬマルチキャストデータを送信するのに使用されることができる。
【００４８】
保留ＤＬユニキャストデータの場合は、遅延されたネットワーク再参入を伴うページング、またはネットワーク再参入を伴わないページングをサポートするために、ページングされたＭ２Ｍデバイスは、ＤＬデータ送信のための正しいＭＡＣレイヤＩＤを有する必要がある（例えば、ＭＡＣ  ＰＤＵで使用されることになるＭＡＣレイヤＩＤ、および／または、ＤＬデータが送信される際のＤＬリソース割振りで使用されることになるＭＡＣレイヤＩＤ）。
【００４９】
アイドルモードで用いられる慣行の１つは、アイドルモードに入る前にＭ２Ｍデバイスを登録解除することだが、この場合、登録解除プロシージャは、Ｍ２Ｍデバイスに対する割り当てられた全てのＭＡＣレイヤＩＤを解放することがある。この結果、アイドルモードのＭ２Ｍデバイスは、ページングメッセージを送信した基地局との有効なＭＡＣレイヤＩＤを有さない場合がある。
【００５０】
一実施形態では、基地局は、アイドルモードの各Ｍ２Ｍデバイスにつき、少なくとも１つのＭＡＣレイヤＩＤ（例えば接続ＩＤまたは局ＩＤ）を維持することができ、この少なくとも１つのＭＡＣレイヤＩＤは、アイドルモード位置更新プロシージャの一部として更新される。
【００５１】
代替的な一実施形態では、基地局は、アイドルモードのＭ２Ｍデバイスに対して特別に設計されたＩＤ（例えば、８０２．１６ｍにおける登録解除ＩＤ（ＤＩＤ、De-registration ID））を割り当てることができる。次いでこのＩＤは、ＤＬ送信のためにＭＡＣレイヤ識別が必要とされるときに使用される。
【００５２】
別の代替的実施形態では、基地局は、１つまたは複数のＭＡＣレイヤＩＤを予約することができ、このＭＡＣレイヤＩＤは、遅延されたネットワーク再参入を伴うかまたはネットワーク再参入を伴わない、ページングされたＭ２ＭデバイスへのＤＬ送信に使用されることになる。予約されたＭＡＣレイヤＩＤは、複数のアイドルモードＭ２Ｍデバイスによって共有されることができ、この場合、一意の加入者ＩＤ（例えば４８ビットＭＡＣアドレスまたは任意の形のその変形）が、ＤＬデータ送信のために提供される（例えばデータペイロードに含められる）。
【００５３】
−  集約応答（Aggregated Responses）
【００５４】
Ｍ２Ｍデバイスは、いくつかの応答を記憶し、これらの応答全てを一度に送信することができる。ページを引き起こしたＤＬデータが、より高いレイヤの何らかのフィードバックを必要とするが、このフィードバックを即座に必要とはしない場合、Ｍ２Ｍデバイスは、１つまたは複数のメッセージ識別子を記憶し、全てのフィードバックを一度に送信することができる（例えば、Ｍ２Ｍデバイスが、他の何らかの必要とされるＵＬのためにネットワーク再参入を実施したときに）。
【００５５】
あるいは、Ｍ２Ｍデバイスは、Ｍ２Ｍデバイスが受信した最後の連続シリアル番号のシリアル番号を送信することができ、またはＭ２Ｍデバイスは、受信していないパケットのシリアル番号を送信することができる。後者の場合、Ｍ２Ｍデバイスが一連のシリアル番号を追跡してシリアル番号の空隙（gap）に気付いたなら、Ｍ２Ｍデバイスは、シリアル番号が欠落していることを基地局に示すことができる。この場合もやはり、Ｍ２Ｍデバイスは、Ｍ２Ｍデバイスがすでに他の何らかの目的でネットワーク参入を実施したときに、または空隙に気付いたらすぐに、基地局にインジケーションを送ることができる。
【００５６】
−  基地局の動作
【００５７】
基地局は、各Ｍ２Ｍデバイスから、肯定応答を必要とするが即座の肯定応答を必要とはしないＭ２Ｍデバイスのグループに送信すべきアップデート（例えば、ソフトウェアリリース、システム構成など）を有することがある。基地局は、「遅延された応答を伴うページング」フラグをセットして、Ｍ２Ｍデバイスのグループにアップデートを送信することができる。次いで基地局は、各Ｍ２Ｍデバイスが次にネットワーク再参入を実施したときに、各Ｍ２Ｍデバイスから肯定応答と共に応答を受信することができる。このシグナリングは、電力を節約する利益を有し、また、アップデートの受信に対して肯定応答するだけのために全てのＭ２Ｍデバイスが同時にネットワーク再参入を実施するのを回避する。
【００５８】
基地局は、Ｍ２Ｍデバイスのグループにアップデートを送信することができるが、基地局は、各Ｍ２Ｍデバイスから肯定応答を受信するまでに無期限を許可することはできない。ここで、絶対的または相対的なアップデートを更新に含めることができる。Ｍ２Ｍデバイスがこの期間内に他の何らかの目的でネットワーク再参入を実施していない場合は、ネットワーク再参入を実施して期間失効時に肯定応答を送信するよう、Ｍ２Ｍデバイスに強いることができる。
【００５９】
基地局がＭ２Ｍデバイスからの応答遅延を許容することができない場合は、通常の「フィードバックを伴うページ」フラグを使用してアップデートを送信することができる。
【００６０】
基地局は、Ｍ２Ｍデバイスのグループ中の全てのＭ２Ｍデバイスと共有される必要のある「システムステータス」を有することができる。「システムステータス」は、システムに対する負荷（例えば、配電網に対する重い負荷、電圧低減または停電が起きる可能性など）に関係するステータスとすることができる。基地局は、マルチキャストメッセージを送信して、この情報をＭ２Ｍデバイスのグループ中の全てのＭ２Ｍデバイスに中継することができる。「システムステータス」を「遅延された応答を伴うページング」フラグと共に送信することによって、肯定応答の受信がタイムクリティカルでないときに任意のＭ２Ｍデバイスがアップデートを受信しなかったかどうかに基地局が気付けるようにすることができる。
【００６１】
以上では特徴および要素を特定の組合せで述べているが、各特徴または要素を単独で、または他の特徴および要素との任意の組合せで使用してもよいことは、当業者なら理解するであろう。また、本明細書に述べた方法は、コンピュータまたはプロセッサによって実行されるようにコンピュータ可読媒体に組み込まれたコンピュータプログラム、ソフトウェア、またはファームウェアにおいて実施することができる。コンピュータ可読媒体の例としては、電子信号（有線または無線接続を介して伝送される）およびコンピュータ可読記憶媒体が挙げられる。コンピュータ可読記憶媒体の例としては、ＲＯＭ、ＲＡＭ、レジスタ、キャッシュメモリ、半導体メモリデバイス、内蔵ハードディスクやリムーバブルディスクなどの磁気媒体、光磁気媒体、および、ＣＤ−ＲＯＭディスクやＤＶＤなどの光媒体が挙げられるが、これらに限定されない。ＷＴＲＵ、ＵＥ、端末、基地局、ＲＮＣ、または任意のホストコンピュータ中で使用するための、無線周波数送受信機を、プロセッサをソフトウェアと共に使用して実現することができる。
【００６２】
実施形態
１．アイドルモードにある１つまたは複数のＭ２Ｍデバイスに対してワイヤレス通信ネットワークで使用される方法であって、ネットワーク再参入を伴うページング、または遅延されたネットワーク参入を伴うページング、またはネットワーク再参入を伴わないページングを示すフィールドを含むページングメッセージを受信するステップを含む方法。
【００６３】
２．１つまたは複数のＭ２Ｍデバイスはグループを構成し、ページングはグループページである、実施形態１の実施形態。
【００６４】
３．ページングは、ページングされた１つまたは複数のＭ２ＭデバイスがＤＬデータの受信のためにネットワーク参入を実施することを必要としない、実施形態１〜２のいずれかに記載の実施形態。
【００６５】
４．ページングは、受信すべきＤＬデータがあることを１つまたは複数のＭ２Ｍデバイスに知らせる、前述の実施形態のいずれかに記載の実施形態。
【００６６】
５．ネットワーク参入／再参入を実施せずにＤＬデータを受信するステップをさらに含み、ＤＬデータの受信に対して即座に肯定応答する必要はない、前述の実施形態のいずれかに記載の実施形態。
【００６７】
６．ＵＬデータ送信のために、または所定のネットワーク再参入トリガによって、後の時点でネットワーク再参入を実施することをさらに含む、前述の実施形態のいずれかに記載の実施形態。
【００６８】
７．ページングはグループページである、前述の実施形態のいずれかに記載の実施形態。
【００６９】
８．遅延されたネットワーク再参入を実施した後で、前のページングリッスン期間におけるＤＬデータの受信に対して肯定応答するステップをさらに含む、前述の実施形態のいずれかに記載の実施形態。
【００７０】
９．ページングは個別ページングモードページである、前述の実施形態のいずれかに記載の実施形態。
【００７１】
１０．ページングはグループページングモードページである、前述の実施形態のいずれかに記載の実施形態。
【００７２】
１１．ネットワーク再参入は、所定のネットワーク再参入トリガによって実施される、前述の実施形態のいずれかに記載の実施形態。
【００７３】
１２．ＤＬデータの受信を示す肯定応答を送信することをさらに含む、前述の実施形態のいずれかに記載の実施形態。
【００７４】
１３．ＤＬデータは、媒体アクセス制御（ＭＡＣ）レイヤにおける特定の識別子と共に送信される、前述の実施形態のいずれかに記載の実施形態。
【００７５】
１４．ＤＬマルチキャストデータが特定のマルチキャスト識別子を使用する、前述の実施形態のいずれかに記載の実施形態。
【００７６】
１５．ＤＬユニキャストデータが特定のユニキャスト識別子を使用する、前述の実施形態のいずれかに記載の実施形態。
【００７７】
１６．アイドルモードの各Ｍ２ＭデバイスについてＭＡＣレイヤ識別子が維持される、前述の実施形態のいずれかの実施形態。
【００７８】
１７．ＭＡＣレイヤ識別子は位置更新プロシージャの一部として更新される、前述の実施形態のいずれかに記載の実施形態。
【００７９】
１８．ＭＡＣレイヤ識別子はアイドルモードのＭ２Ｍデバイスに割り当てられる、前述の実施形態のいずれかに記載の実施形態。
【００８０】
１９．ワイヤレス通信ネットワークで使用される方法であって、１つまたは複数のＭ２Ｍデバイスへのダウンリンク（ＤＬ）データのためのページを受信するステップであって、ページは、受信すべきＤＬデータがあることを示すが、１つまたは複数のＭ２Ｍデバイスがネットワーク参入を実施するのを必要とはしない、ステップと、ネットワーク再参入を実施せずにＤＬデータを受信するステップであって、ＤＬデータの受信に対して即座に肯定応答する必要はない、ステップと、ＵＬデータ送信のために、または他の所定のネットワーク再参入トリガによって、後の時点でネットワーク再参入を実施するステップと、ネットワークに再参入した後で前のページングリッスン期間のＤＬデータの受信に対して肯定応答するステップとを含む方法。
【図１Ａ】
2014510450.tif 000003
【図１Ｂ】
2014510450.tif 000004
【図１Ｃ】
2014510450.tif 000005
【国際調査報告】
2014510450.tif 000006
2014510450.tif 000007
2014510450.tif 000008